(57)【要約】      （修正有）【課題】低コストで手間をかけずに組み立て可能であり、荘厳さや美麗さを演出できる愛玩動物用棺及びその組立キットを提供する。【解決手段】小動物用葬儀セット１００は、死亡した小動物を収める小動物用棺１１０と、小動物用棺を安置するための祭壇構造体１２０と、祭壇構造体の後方に屹立した光背板１３０と、祭壇構造体に設置した葬儀用装飾物１５０を備える。ここで、光背板の一部から祭壇構造体の一部まで複数の切れ目を入れておき、切れ目の間の部分を光背板および祭壇構造体から遊離させて前方に引き出すことにより、光背板に立体感を持たせた立体装飾部１４０を設ける。葬儀用装飾物１５０として、光背板の一部に遺影写真を貼り付ける領域を設けたり、焼香台を設けたり、照明体を設けたりすることも可能である。【選択図】図１
0003170908.tif 000002
【実用新案登録請求の範囲】
【請求項１】
死亡した小動物を収める小動物用棺と、前記小動物用棺を安置するための祭壇構造体と、前記祭壇構造体の後方に屹立した光背板と、前記祭壇構造体に設置した葬儀用装飾物を備えた小動物用葬儀セット。
【請求項２】
前記光背板の一部から前記祭壇構造体の一部まで複数の切れ目を入れて設けた立体装飾部であって、前記切れ目の間の部分を前記光背板および前記祭壇構造体から遊離させて前方に引き出すことにより、前記光背板に立体感を持たせた立体装飾部を設けたことを特徴とする請求項１に記載の小動物用葬儀セット。
【請求項３】
前記立体装飾部を前方に引き出した後に、前記立体装飾部の裏面において、前記祭壇構造体と前記光背板との境界部分にあった折り目をまたぐように補強板を貼り付けることにより、前記折り目をきっかけとして元通りに折れ曲がらないようにし、形成した前記立体装飾部の形状を安定させることを特徴とする請求項２に記載の小動物用葬儀セット。
【請求項４】
前記光背板の横幅と前記祭壇構造体の横幅を略同一とし、前記光背板の左右両端をそれぞれ前方に折り曲げるとともに、前記光背板の左右両端の前方への折り曲げにより前記光背板が通過した前記祭壇構造体の領域を上方に折り曲げて前記光背板の裏面側に貼り付け、前記光背板の左右両端の前方への折り曲げが元通りに戻らないようにし、形成した前記光背板の左右両端の前方への折り曲げ形状を安定させることを特徴とする請求項１乃至３のいずれか１項に記載の小動物用葬儀セット。
【請求項５】
前記光背板の一部に遺影写真を貼り付ける領域を設けたことを特徴とする請求項１乃至４のいずれか１項に記載の小動物用葬儀セット。
【考案の詳細な説明】
【技術分野】
【０００１】
本考案は、ペット等の小動物用葬儀セットに関するものである。特に、カブトムシやクワガタムシ等の昆虫類、金魚やメダカなどの小魚類、カエルやイモリなどの両生類、カメやトカゲなどの爬虫類など、ペットを飼育していた子供のペットへの愛敬の念を大切にしつつ生物の死を哀悼する情操教育に資する小動物用葬儀セットに関する。
【背景技術】
【０００２】
犬、猫、小鳥などで代表されるペット（愛玩動物）はその姿や動作によって人の心を和ませ、長年飼うことにより、家族の一員といっていいほどの親近感を抱くようになることはよく体験するところである。
しかし、ペットの寿命は一般的に人間のそれに比べて短く、また、屋外で遊んでいるようなときに不慮の死をとげることも少なくない。このように可愛がっていたペットの死亡は、その親密の度合いが密であるほど飼い主にとって大きな精神的ダメージとなる。特にペットを大切に飼育していた子供にとっては、大きな喪失感を伴うものである。
【０００３】
近年、犬や猫などのペットの死を家族同様の死ととらえて、人間の葬儀と変わらないような立派な葬儀を執り行うことも増えてきた。
しかし、犬や猫などのペットとはいえ、葬儀を執り行うとなると相応の費用と手間がかかることとなる。このようにペットの死を悼みつつも相応の費用と手間をかけることが難しいという事情を抱える場合も少なくない。
【０００４】
その一方、特にペットを大切に飼育していた子供にとっては、大きな喪失感を持っており、その気持ちの整理のためにも何らか擬似的にでも葬儀を執り行うことができれば子供のためになる。また、ペットの死を悼むことは生きとし生けるものの存在の大切さを理解する情操教育にも資する部分がある。
【０００５】
そこで、従来技術において、簡易にペット用の葬儀を執り行う葬儀セットが幾つか考案されている。
例えば、特許文献１には、曲線や曲面を用いて意匠性を高めた愛玩動物用の棺が開示されている。棺の中にはレース生地のカーテンを配したり、化粧布で覆った床台を敷いたりして、愛玩動物の安らかな旅立ちを演出すると共に、愛玩動物を失った飼い主の虚しい気持ちを充足することが図られている。
【０００６】
また、例えば、特許文献２には、愛玩動物の遺体を安置するための愛玩動物用棺であって、愛玩動物の遺体を納める棺本体と、この棺本体の上面から起立する光背とを備えたものが開示されている。
特許文献２に開示された愛玩動物用棺によれば、愛玩動物の遺体を納める棺本体の他に、この棺本体の上面から起立する光背を備えた構造となっており、この光背によって、愛玩動物用棺は、装飾性に優れ、従来にない荘厳さや美麗さを具備して、愛玩動物の安らかな旅立ちを演出するだけでなく、遺体を納棺してから通夜や葬儀等のセレモニーが済むまでの間、愛玩動物の遺体を安置する環境として十分満足のいくものとなり、愛玩動物を送る飼い主の空虚な気持ちをより和ませ充足させ得るものとなる。
【０００７】
【特許文献１】特開平７−２８９１１０号公報
【特許文献２】特開２００５−３４９０７２号公報
【考案の開示】
【考案が解決しようとする課題】
【０００８】
しかし、上記特許文献１に開示された従来の愛玩動物用棺は、いくら形状に工夫を凝らしても、愛玩動物の遺体を納める箱形状の棺本体のみで構成されているから、いまひとつ装飾性に欠け、その結果、荘厳さや美麗さが不充分で、遺体を納棺してから通夜や葬儀等のセレモニーが済むまでの間、愛玩動物の遺体を安置する環境として物足りなさが残るものであった。
【０００９】
また、通夜や葬儀等においては、遺影を立てたり、花を手向けたり、ローソクを灯したり、線香をあげたり、種々の葬祭行事が行われるが、従来の愛玩動物用棺には、それを挙行するための祭壇が備えられていなかったから、棺と祭壇とを別々に準備しなければならず、その結果、全体に統一感がなく、見栄えに劣るものであった。
【００１０】
また、上記特許文献２に開示された従来の愛玩動物用棺は、いくら形状に工夫を凝らしても、やはり全体の基本形状は箱形状となっており、箱形状の棺の後部についたて状の光背板を取り付けたに過ぎないものであった。つまり、実際の人間の葬儀に見られるような、棺を安置する祭壇、光背、焼香台などの基本的な葬儀用の部材がなく、その結果、荘厳さや美麗さが不充分で、遺体を納棺してから通夜や葬儀等のセレモニーが済むまでの間、愛玩動物の遺体を安置する環境として物足りなさが残るものであった。
【００１１】
また、光背については、単に背部に板状体が立てられた平面的なものであるが、この平面的な光背が見た目に荘厳さや美麗さを欠けさせる要因となっていた。
【００１２】
そこで、上記課題に鑑み、本発明は、従来にない荘厳さや美麗さを演出し、愛玩動物を悼む子供などの飼い主の心情を和ませ満足させ得る愛玩動物用棺及びその組立キットを提供する。また、低コストで手間をかけずに組み立て可能であり、人間の葬儀場と近しい葬祭部材を具備して全体的な見栄えが改善された小動物用葬儀セットを提供することを目的とする。
【課題を解決するための手段】
【００１３】
上記目的を達成するため、本考案の小動物用葬儀セットは、死亡した小動物を収める小動物用棺と、前記小動物用棺を安置するための祭壇構造体と、前記祭壇構造体の後方に屹立した光背板と、前記祭壇構造体に設置した葬儀用装飾物を備えた小動物用葬儀セットである。人間の葬儀場と近しい葬祭部材を具備して全体的な見栄えを演出することができる。
ここで、上記構成において、光背板の一部から祭壇構造体の一部まで複数の切れ目を入れて設け、切れ目の間の部分を光背板および祭壇構造体から遊離させて前方に引き出すことにより、光背板に立体感を持たせた立体装飾部を設けることが好ましい。この立体装飾部を設けることにより、平面的な光背板に対して立体感豊かな凹凸形状を設けることができる。また、いわゆる一枚の平面材から簡単に立体的な装飾を形成することができる。低コストで手間をかけずに組み立て可能であり、従来にない荘厳さや美麗さを演出することができる。
【００１４】
なお、立体装飾部の形状を立体的に安定させるため、前記立体装飾部を前方に引き出した後に、前記立体装飾部の裏面において、前記祭壇構造体と前記光背板との境界部分にあった折り目をまたぐように補強板を貼り付けることにより、前記折り目をきっかけとして元通りに折れ曲がらないようにすることが好ましい。このように、折り目の部分に補強板を貼り付けることにより、形成した立体装飾部の形状を安定させることができる。
【００１５】
また、同様に、光背板の部分を簡単かつ丈夫に屹立させるために以下の工夫を施すことができる。つまり、光背板の横幅と祭壇構造体の横幅を略同一とし、光背板の左右両端をそれぞれ前方に折り曲げるとともに、光背板の前方への左右両端の折り曲げにより光背板が通過した祭壇構造体の領域を上方に折り曲げて光背板の裏面側に貼り付け、光背板の左右両端の前方への折り曲げが元通りに戻らないようにすることが好ましい。このように、光背板の左右両端を前方へ折り曲げつつ、祭壇構造体を上方へ折り曲げて両者を貼り合せるため、形成した光背板の左右両端の前方への折り曲げ形状を安定させることができる。また、光背が左右両端において前方に向けてアーチ状になり、従来にない荘厳さや美麗さを演出することができる。
【００１６】
なお、光背板の一部に遺影写真を貼り付ける領域を設けておくことが可能である。愛玩動物を悼む子供などの飼い主の心情を和ませ満足させる効果を向上することができる。
【考案の効果】
【００１７】
本考案の小動物用葬儀セットは、低コストで手間をかけずに組み立て可能であるが、光背などに立体感と安定性を持たせた従来にない荘厳さや美麗さを演出せしめ、また、人間の葬儀場と近しい葬祭部材を具備した葬儀セットとすることができる。ペットを飼育していた子供のペットへの愛敬の念を大切にしつつ生物の死を哀悼する情操教育に資することができる。
【考案を実施するための最良の形態】
【００１８】
以下、図面を参照しつつ、本考案の小動物用葬儀セットの実施形態を説明する。ただし、本考案の技術的範囲は以下の実施形態に示した具体的な用途や形状・寸法などには限定されない。
【実施例１】
【００１９】
本考案の小動物用葬儀セットが対象とする小動物としては、特に断らない限り、カブトムシやクワガタムシ等の昆虫類、金魚やメダカなどの小魚類、カエルやイモリなどの両生類、カメやトカゲなどの爬虫類などを対象とすることができる。
図１は本考案にかかる小動物用葬儀セット１００の構成例を示す図である。
図１（ａ）は小動物用葬儀セット１００の正面図、図１（ｂ）は小動物用葬儀セット１００の平面図となっている。
この構成例では、図１に示すように、小動物用葬儀セット１００は、小動物用棺１１０、祭壇構造体１２０、光背板１３０、立体装飾部１４０、葬儀用装飾物１５０を備えた構成となっている。
【００２０】
小動物用棺１１０は、死亡した小動物を収める棺である。形状は人間用の棺を模した形状でも良い。なお、サイズは小動物に応じた適度なサイズであれば良い。この構成例では、小動物用棺１１０は、簡単な箱体とする。例えば、葬儀対象となる小動物がセミである場合、セミの亡骸が収まる程度の大きさの小動物用棺であれば良い。
なお、小動物用棺１１０の素材は特に限定されないが、例えば、木、紙、プラスチックなどの軽量素材で良い。
【００２１】
祭壇構造体１２０は、小動物用棺１１０を安置するための構造体であり、人間の葬儀の際に用いる祭壇を模したものでも良いが、ここでは、極めて簡単に組み立てられるよう、平面上の平板形状のものとなっている。もちろん、祭壇構造体１２０の立体感が出るように平板形状の上面に凹凸形状を設けたものであっても良い。
【００２２】
光背板１３０は、祭壇構造体１２０の後方に屹立した平板状の部材であり、人間の葬儀の際に用いる光背を模したものでも良いが、ここでは、極めて簡単に組み立てられるよう、平面上の平板形状のものとなっている。また、光背板１３０が立体感あふれる構造となるようにその表面に凹凸形状となる立体装飾部１４０を設けた例となっている。
【００２３】
ここで、光背板１３０を祭壇構造体１２０の後方に安定して屹立させる構造は限定されないが、本考案では、一枚の平面から簡単かつ手間をかけずに光背板１３０を組み立てて屹立させる構造例について説明する。
【００２４】
図２は、光背板１３０を祭壇構造体１２０の後方に安定して屹立させる手順を平面視において簡単に示す図である。図３は、光背板１３０を祭壇構造体１２０の後方に安定して屹立させる手順を右側面視により簡単に示す図である。
【００２５】
まず、図２（ａ）および図３（ａ）に示すように、祭壇構造体１２０の後方にある光背板１３０を上方へ折り曲げて基本的な屹立姿勢を取らせる。ここで、光背板１３０の横幅と祭壇構造体１２０の横幅を略同一となっている。
【００２６】
次に、図２（ｂ）および図３（ｂ）に示すように、祭壇構造体１２０の左右両端を前方へ折り曲げる。この折り曲げは、光背板１３０が荘厳かつ美しく見えるような角度で折り曲げる。
【００２７】
次に、図３（ｃ）に示すように、祭壇構造体１２０のうち、光背板１３０の左右両端の前方への折り曲げにより光背板１３０が通過した祭壇構造体１２０の領域を上方に折り曲げて光背板１３０の裏面側に貼り付ける。
【００２８】
このように、祭壇構造体１２０を上方に折り曲げて光背板１３０の裏面側に貼り付けることにより、光背板１３０の折り曲げを固定し、光背板１３０の左右両端の前方への折り曲げが元通りに戻らないようにし、形成した光背板１３０の左右両端の前方への折り曲げ形状を安定させる。
【００２９】
次に、立体装飾部１４０について説明する。
立体装飾部１４０は、光背板１３０の表面に設けた立体的な造作物である。その形状は特に限定されないが、ここでは後述するように、光背板１３０の一部から祭壇構造体１２０の一部までを前方に引き出して形成した短冊状のものとなっている。
【００３０】
図４は、立体装飾部１４０の形状を分かりやすく示した図である。
図４（ａ）は小動物用葬儀セット１００の右側面図である。
図４（ｂ）は図１（ｂ）に示した平面図に示したＡ−Ａ線断面図である。断面端面にはハッチングを施している。
また、図４（ｃ）は図１（ｂ）に示した平面図に示したＢ−Ｂ線断面図である。断面端面にはハッチングを施している。
【００３１】
図４に示したように、立体装飾部１４０は、光背板１３０の一部から祭壇構造体１２０の一部までを前方に引き出して形成した短冊状のものとなっている。
この構成例では、立体装飾部１４０を引き出しやすいように、光背板１３０の一部から祭壇構造体１２０の一部まで複数の切れ目を入れてあり、光背板１３０から遊離させた部分が立体装飾部１４０となる。
【００３２】
図５は、立体装飾部１４０を切れ目に沿って光背板１３０および祭壇構造体１２０のから遊離させ、光背板１３０の一部および祭壇構造体１２０の一部から立体装飾部１４０を前方に引き出す様子を説明する図である。図４（ｂ）同様、図１（ｂ）に示したＡ−Ａ線断面の位置において断面として示している。
【００３３】
図５（ａ）は立体装飾部１４０を光背板１３０および祭壇構造体１２０から引き出す前の状態を示している。この状態では、光背板１３０および祭壇構造体１２０と一体化している。
図５（ｂ）は立体装飾部１４０を切れ目に沿って光背板１３０および祭壇構造体１２０から遊離させ、山折り谷折りを行って前方へ引き出す途中状態を示す図である。
図５（ｃ）は立体装飾部１４０を完全に光背板１３０および祭壇構造体１２０から引き出した様子を示す図である。
この構成例では、分かりやすいように、立体装飾部１４０となる光背板１３０の一部である部材１４０ａおよび部材１４０ｂ、祭壇構造体１２０の一部である部材１４０ｃの３つのパーツを備えた構成例となっている。
【００３４】
図５（ａ）から図５（ｂ）に示すように、光背板１３０の一部である部材１４０ａと部材１４０ｂとの境界をいわゆる山折りに折り曲げながら前方やや上方向きに引き出していく。また同時に、光背板１３０の一部である部材１４０ｂと祭壇構造体１２０の一部である部材１４０ｃとの谷折りになっている境界を平面に戻すように伸ばしながら前方やや上方向きに引き出していく。
そのまま、光背板１３０の一部である部材１４０ａと部材１４０ｂとの境界を９０度まで曲げ、同時に光背板１３０の一部である部材１４０ｂと祭壇構造体１２０の一部である部材１４０ｃとを平面になるまで伸ばして図５（ｃ）の状態を得る。
このような立体装飾部１４０の個数や形状などは特に限定されず、多数個、また、多様な形状として設けることができる。
【００３５】
次に、立体装飾部１４０の形状安定の工夫について述べる。
立体装飾部１４０は前述の通り、光背板１３０および祭壇構造体１２０の一部を遊離して立体的に引き出して形成した形状であるため、そのままでは再び元の平面状態に戻りやすい。特にもともと谷折りであった部材１４０ｂと部材１４０ｃが再び元の谷折りに潰れやすい。そこで、もともと谷折りであった部材１４０ｂと部材１４０ｃの境界部分にあった折り目をまたぐように平面状の補強材を貼り付けることにより、部材１４０ｂと部材１４０ｃが平面を維持しやすいようにし、立体装飾部１４０の形状を安定させる。
【００３６】
図６は、部材１４０ｂと部材１４０ｃの背面に、補強材１４１を貼り付けて補強する様子を示す図である。このように部材１４０ｂと部材１４０ｃの背面に対して補強材１４１を貼り付けて補強することにより、部材１４０ｂと部材１４０ｃが折り目をきっかけとして元通りに折れ曲がらないように維持することができる。
【００３７】
次に、葬儀用装飾物１５０について説明する。
葬儀用装飾物１５０は、祭壇構造体１２０に設置する様々な構造物であり、人間の葬儀に用いられる様々な葬儀用装飾物１５０を用いることができる。
図１では、葬儀用装飾物１５０の一例として焼香台のみが描かれているが、その他の構造物も多数設けることが可能である。
【００３８】
図７は、葬儀用装飾物１５０の一例を示した図である。図７には焼香台１５１、焼香鉢１５２、照明体１５３、遺影１５４などが示されている。
図７（ａ）の例では、照明体１５３は電燈などの照明類１５３ａ、図７（ｂ）の例では、照明体１５３は蝋燭１５３ｂとなっている。
このように、本考案では葬儀用装飾物１５０として様々な装飾物を模したものを利用することができる。
【００３９】
以上、本考案の小動物用葬儀セットにおける好ましい実施例を図示して説明してきたが、本考案の技術的範囲を逸脱することなく種々の変更が可能であることは理解されるであろう。
【産業上の利用可能性】
【００４０】
本考案は、カブトムシやクワガタムシ等の昆虫類、金魚やメダカなどの小魚類、カエルやイモリなどの両生類、カメやトカゲなどの爬虫類など、ペットを飼育していた子供のペットへの愛敬の念を大切にしつつ生物の死を哀悼する情操教育に資する小動物用葬儀セットとして広く適用することができる。
【図面の簡単な説明】
【００４１】
【図１】本考案に係る小動物用葬儀セット１００の構成例を示す図である。
【図２】光背板１３０を祭壇構造体１２０の後方に安定して屹立させる手順を平面視において簡単に示す図である。
【図３】光背板１３０を祭壇構造体１２０の後方に安定して屹立させる手順を右側面視により簡単に示す図である。
【図４】立体装飾部１４０の形状を分かりやすく示した図である。
【図５】立体装飾部１４０を切れ目に沿って光背板１３０および祭壇構造体１２０のから遊離させ、光背板１３０の一部および祭壇構造体１２０の一部から立体装飾部１４０を前方に引き出す様子を説明する図である。
【図６】部材１４０ｂと部材１４０ｃの背面に、補強材１４１を貼り付けて補強する様子を示す図である。
【図７】葬儀用装飾物１５０の一例を示した図である。
【符号の説明】
【００４２】
１００  小動物用葬儀セット
１１０  小動物用棺
１２０  祭壇構造体
１３０  光背板
１４０  立体装飾部
１４１  補強板
１５０  葬儀用装飾物
１５１  焼香台
１５２  焼香鉢
１５３  照明体
１５４  遺影
【図１】
0003170908.tif 000003
【図２】
0003170908.tif 000004
【図３】
0003170908.tif 000005
【図４】
0003170908.tif 000006
【図５】
0003170908.tif 000007
【図６】
0003170908.tif 000008
【図７】
0003170908.tif 000009